(57)【要約】【課題】  比重に差のある被混合物を好適に混合し得る装置を提供する。【解決手段】  回転ドラム２の軸線に沿って回転ドラムを貫通してなる支持軸５と、回転ドラム内部において支持軸に支持されてなる二種類の複数のガイド部材５１〜５４とを備える。第１のガイド部材５１，５２は、支持軸の両端付近において、回転ドラムの内壁に向かって徐々に間隔を広げて構成してなる一対の板状ガイド部材であり、第２ガイド部材５３，５４は、第１の板状ガイド部材の中間に配置され、かつ第１の板状ガイド部材の先端方向に対して反対方向に先端を向けつつ回転ドラムの内壁に向かって徐々に間隔を広げて構成してなる一対の板状ガイド部材である。【選択図】  図５
2005262156.tif 000002
【特許請求の範囲】
【請求項１】
軸線を水平方向にして回転可能な回転ドラムを有する混合装置であって、上記回転ドラムの軸線に沿って該回転ドラムを貫通してなる支持軸と、上記回転ドラム内部において上記支持軸に支持されてなる複数のガイド部材とを備え、上記ガイド部材は、上記支持軸の近傍から上記回転ドラムの内壁の近傍に至る範囲に設けられるとともに、上記回転ドラムの周方向に対して有角的かつ水平面に対して所定角度に傾斜させた長手方向を有する長尺なガイド部材であることを特徴とする粉粒体の混合装置。
【請求項２】
前記ガイド部材は、二種類のガイド部材で構成され、第１のガイド部材は、前記支持軸の両端付近において前記回転ドラムの上昇側壁面に向かってハ字状に設けられ、先端を斜め上方に向けられたガイド部材であり、第２のガイド部材は、上記支持軸の中央付近において上記回転ドラムの下降側壁面に向かってハ字状に設けられ、先端を斜め下方に向けられたガイド部材である請求項１記載の粉粒体の混合装置。
【請求項３】
前記二種類のガイド部材は、その長手方向が前記回転ドラムの一縦断面に一致するとともに、該縦断面に対して垂直な平面を有する板状のガイド部材である請求項２記載の粉粒体の混合装置。
【請求項４】
軸線を水平方向にして回転可能な略円筒状の回転ドラムを有する混合装置であって、上記回転ドラムの軸線に沿って該回転ドラムを貫通してなる支持軸と、上記回転ドラム内部において上記支持軸に支持されてなる長尺な複数のガイド部材とを備え、上記支持軸は、回動可能に設けられるとともに、所定の回動位置で停止可能な支持軸であり、上記ガイド部材は、上記支持軸から上記回転ドラムの内壁に向かって突出し、その長手方向が上記回転ドラムの一縦断面に一致するとともに該回転ドラムの周方向に対して有角的であり、かつ上記一縦断面に垂直な平面を有してなる複数の板状ガイド部材であり、上記支持軸の回動状態を調整して上記一縦断面を水平面に対して所定の角度に配置することができるようにしてなることを特徴とする粉粒体の混合装置。
【請求項５】
前記板状ガイドは、二種類の板状ガイド部材で構成され、前記支持軸の両端付近において、前記回転ドラムの内壁に向かって徐々に間隔を広げて構成してなる一対の第１の板状ガイド部材と、この第１の板状ガイド部材の中間に配置され、かつ第１の板状ガイド部材の先端方向に対して反対方向に先端を向けつつ上記回転ドラムの内壁に向かって徐々に間隔を広げて構成してなる一対の第２の板状ガイド部材とで構成されてなる請求項４記載の粉粒体の混合装置。
【請求項６】
前記第１の板状ガイド部材は、その先端が前記回転ドラムの両端側壁付近に至るように配置された第１の板状ガイド部材であり、前記第２の板状ガイド部材は、前記支持軸付近において先端が当接されてなる第２の板状ガイド部材である請求項５記載の粉粒体の混合装置。
【発明の詳細な説明】
【技術分野】
【０００１】
本発明は、粉粒体を混合する装置に関し、特に、比重の異なる粉粒体を混合する装置に関するものである。
【背景技術】
【０００２】
従来の粉粒体混合装置は、断面多角形状の回転ドラムの壁面に設けられる案内部を折り曲げて構成された攪拌片を設けた構成のもの（特許文献１参照）およびこれと同種の攪拌片に加えて回転ドラムの側壁に径方向に配置された攪拌部材を設けた構成のもの（特許文献２参照）があった。
【特許文献１】特開平６−８６９２５号公報（３頁・図４）
【特許文献２】特開２０００−１２６５７５号公報（３頁・図４）
【発明の開示】
【発明が解決しようとする課題】
【０００３】
上記の従来技術は、回転ドラムを多角形状とし、また、回転ドラムの壁面に攪拌片等を設けてなる構成であるところ、多角形状の回転ドラムによって内壁と被混合物との摩擦抵抗を増加させて、当該回転ドラムの回転に従って被混合物を移動させるものであるとともに、この被混合物が移動する過程において、攪拌片等によって攪拌させるものである。この種の混合機は、被混合物に対して物理的な外力を付加することで粒子間応力を超える力を粒子間に作用させ、目的を達成するものであるが、この外力が強力に作用するときは被混合物を損傷させるおそれがあった。これは、容器回転型混合機において回転速度を速くする場合も同様であり、また、回転子回転型混合機において回転子によって剪断力を付与する場合も同様である。
【０００４】
また、回転ドラムの壁面に設けられた攪拌片によって被混合物を攪拌するためには、当該被混合物が回転ドラムの壁面との間で相対的な位置を変動する必要がある。しかしながら、攪拌片の至適傾斜角は、被混合物の流動方向に対して決定するのであり、回転ドラムの壁面に固定された攪拌片は、回転ドラムの回転に伴って絶対傾斜角が変化するため、至適傾斜角を得ることは不可能であり、十分な混合状態を得ることができなかった。そこで、回転ドラムをより高速で回転させることにより、攪拌片等によって、水平断面を連続的に変化させることにより、攪拌作用を強力に作用させ、被混合物を大きく移動させることによって全体的に混合する方法が考えられるが、この場合にも被混合物を十分に混合することができないものであった。これは、本願の発明者が研究したところ、比重の異なる被混合物を回転ドラム内で激しく移動させると、高比重のものと低比重のものとが回転ドラム内で分離するためであることが判明した。
【０００５】
他方、比重の異なる粉粒体を混合する必要性としては、インスタント食品に使用される薬味やスープなどを混合して単一の袋に封入する場合や、生薬を均一に混合する場合など多岐に及ぶ。しかし、それぞれの被混合物を均等な割合で混合することができないため、被混合物の種類等に応じて異なる対応がとられている。すなわち、現状では、例えば即席のお茶づけ海苔では、塩、海苔およびあられ等を個別に計量したのち単一の袋に封入しており、また、インスタントラーメンの粉末スープと薬味にあっては、これを混合した状態で単一の袋に封入させることは困難であるため、個々に分けて封入している。さらに、生薬では、茎部分、葉部分のほかに、花や種子をも混合するものであるが、厳密には均一な状態で混合することができず、所定の範囲内における混合状態で製造されていた。そこで、これらの被混合物について、好適な混合状態を得ることのできる混合装置が切望されていた。
【０００６】
本発明は、上記諸点にかんがみてなされたものであって、その目的とするところは、比重に差のある被混合物を好適に混合し得る装置を提供することである。
【課題を解決するための手段】
【０００７】
そこで、本発明は、軸線を水平方向にして回転可能な回転ドラムを有する混合装置であって、上記回転ドラムの軸線に沿って該回転ドラムを貫通してなる支持軸と、上記回転ドラム内部において上記支持軸に支持されてなる複数のガイド部材とを備え、上記ガイド部材は、上記支持軸の近傍から上記回転ドラムの内壁の近傍に至る範囲に設けられるとともに、上記回転ドラムの周方向に対して有角的かつ水平面に対して所定角度に傾斜させた長手方向を有する長尺なガイド部材であることを特徴とする粉粒体の混合装置を要旨とする。
【０００８】
上記発明において、前記ガイド部材は、二種類のガイド部材で構成され、第１のガイド部材は、前記支持軸の両端付近において前記回転ドラムの上昇側壁面に向かってハ字状に設けられ、先端を斜め上方に向けられたガイド部材であり、第２のガイド部材は、上記支持軸の中央付近において上記回転ドラムの下降側壁面に向かってハ字状に設けられ、先端を斜め下方に向けられたガイド部材である構成とすることができる。
【０００９】
また、上記発明において、前記二種類のガイド部材は、その長手方向が前記回転ドラムの一縦断面に一致するとともに、該縦断面に対して垂直な平面を有する板状のガイド部材である構成とすることができる。
【００１０】
さらに、本発明は、軸線を水平方向にして回転可能な略円筒状の回転ドラムを有する混合装置であって、上記回転ドラムの軸線に沿って該回転ドラムを貫通してなる支持軸と、上記回転ドラム内部において上記支持軸に支持されてなる長尺な複数のガイド部材とを備え、上記支持軸は、回動可能に設けられるとともに、所定の回動位置で停止可能な支持軸であり、上記ガイド部材は、上記支持軸から上記回転ドラムの内壁に向かって突出し、その長手方向が上記回転ドラムの一縦断面に一致するとともに該回転ドラムの周方向に対して有角的であり、かつ上記一縦断面に垂直な平面を有してなる複数の板状ガイド部材であり、上記支持軸の回動状態を調整して上記一縦断面を水平面に対して所定の角度に配置することができるようにしてなることを特徴とする粉粒体の混合装置をも要旨としている。
【００１１】
上記発明において、前記板状ガイドは、二種類の板状ガイド部材で構成され、前記支持軸の両端付近において、前記回転ドラムの内壁に向かって徐々に間隔を広げて構成してなる一対の第１の板状ガイド部材と、この第１の板状ガイド部材の中間に配置され、かつ第１の板状ガイド部材の先端方向に対して反対方向に先端を向けつつ上記回転ドラムの内壁に向かって徐々に間隔を広げて構成してなる一対の第２の板状ガイド部材とで構成されてなるものとすることができる。
【００１２】
また、上記発明において、前記第１の板状ガイド部材は、その先端が前記回転ドラムの両端側壁付近に至るように配置された第１の板状ガイド部材であり、前記第２の板状ガイド部材は、前記支持軸付近において先端が当接されてなる第２の板状ガイド部材である構成とすることができる。
【発明の効果】
【００１３】
本発明によれば、回転ドラムを回転させることによって、被混合物の表面が傾斜し、その表層部が連続的に滑り落ちることとなる。このとき、回転ドラム内部に設けたガイド部材により、被混合物が滑り落ちる方向を規制して混合させることができるものである。そして、回転ドラムの回転速度を低速とすることにより、滑り落ちる被混合物は表層にとどまり、また、その速度が低速となるため、ガイド部材による方向の規制によって十分に混合が可能である。しかも、回転子等を使用する場合のような剪断力によって混合するものではなく、かつ粒子間においても衝突速度が低いため、被混合物を損傷させるようなことがない。さらに、被混合物が表層のみ低速で滑り落ちるため、比重の異なる物質を混合する際、表層以外の非流動部も含めてその比重差によって分離することがなく、好適な混合状態を実現し得るものである。
【００１４】
また、ガイド部材を板状で構成し、その平面を回転ドラムの縦断面に垂直方向に向ける構成によれば、回転ドラムに沿って移動する被混合物が、回転方向に移動する際には抵抗となることがないので、被混合物の表面がガイド部材を通過する状態まで傾斜させることができる。そして、ガイド部材の長手方向を回転ドラムの周方向に対して有角的に設けた構成によれば、被混合物が傾斜表面に沿って滑り落ちる際には、当該被混合物が周方向に移動し、この移動に対する抵抗となる得るものである。
【００１５】
さらに、二種類のガイド部材を有する構成によれば、回転ドラムの壁面付近の被混合物と、支持軸付近の被混合物とを、別個に異なる方向へ案内することができ、好適な混合を可能にすることができるものである。
【００１６】
なお、支持軸を回動可能にする構成によれば、ガイド部材の傾斜角度を所望の状態に調整することが可能となり、混合すべき物の種類等に応じて、前述の滑り落ちる角度が異なる場合、この角度に応じてガイド部材を最適な状態に調整し得ることとなる。そして、この角度調整は、被混合物の種類等のみならず、回転ドラムの回転速度や、当該回転ドラムに投入された量が異なる場合にも調整が可能である。
【発明を実施するための最良の形態】
【００１７】
以下、本発明の実施の形態を図面に基づいて説明する。本実施形態にかかる粉粒体の混合装置の概略は、図１に示すように、基台１と、この基台に支持されつつ回転可能な回転ドラム２と、この回転ドラム下方において基台１に設置されたシュータ３とで構成されている。上記基台１には、駆動装置を内蔵する操作部１１が設けられ、この操作部１１のパネル１２により装置Ａの全体を操作するものである。また、上記回転ドラム２は略円筒状に構成され、その回転ドラム２の壁面には開閉可能な開口部４が設けられ、この開口部４から被混合物を投入するとともに、混合した後の混合物をこの開口部４からシュータ３に排出することができるものである。
【００１８】
ここで、回転ドラム２には、図２に示すように、当該回転ドラム２の軸線に沿って支持軸５が貫設されており、かつ、この支持軸５の軸線は水平方向に一致させて設けられている。また、この支持軸５の両端は図示せぬ軸受けを介して回転ドラム２の両側壁面に連続され、さらに支持軸５の両端が上述の基台１によって支持されている。従って、回転ドラム２が回転する場合であっても、支持軸５は回転することがなく、回転ドラム２のみが支持軸５の回りを回転することとなり、また、支持軸５は状態を変化させることなく安定的に基台１によって支持されるようになっている。
【００１９】
そして、回転ドラム２の両側の壁面のうち操作部１１の側には、支持軸５の周辺に歯を有する従動ギア６が設けられ、操作部１１の図示せぬ駆動装置によって駆動される駆動ギア７と噛合して、当該駆動力が回転ドラム２に伝達されるようになっている。この操作部１１における駆動装置は、速度を適宜変更できるものであり、被混合物の種類等に応じて可変し得るものである。なお、上記駆動装置は十分に減速され、本実施形態では、回転ドラム２の回転速度が０．５〜５ｒｐｍの範囲内で調整できるように構成されている。
【００２０】
また、支持軸５は、基台１によって支持されるが、この支持軸５の回動を可能にしており、所定の範囲内において上記支持軸５を回動させることにより、回転ドラム２との相対的な位置関係を変更できる構成となっている。なお、支持軸５は、回転ドラム２の回転中に回動させるものではなく、あくまでも支持軸５の状態を調整する場合にのみ回動させるものである。
【００２１】
次に、回転ドラム２の内部における構成について説明する。上述のとおり、支持軸５は回転ドラム２に貫設されており、回転ドラム２の軸線に沿った支持軸５が、当該回転ドラム２の内部中央に存在するものである。そこで、回転ドラム２の内部に存在する支持軸５には、図３に示すように、ガイド部材５１，５２，５３，５４が設けられている。これらのガイド部材５１〜５４は、いずれも平面を有する薄肉板材を比較的長尺な略長方形状に成形されており、支持軸５に支持されて一体的に構成されている。このガイド部材５１〜５４は、そのすべての長手方向中心線が、回転ドラム２の単一の縦断面内に一致するように設けられ、しかも、各長方形状平面は、上記縦断面に対して垂直方向に向けられている。そして、このガイド部材５１〜５４の長手方向は、回転ドラム２の周方向に対して所定の角度を有するように（すなわち有角的に）設けられているのである。
【００２２】
また、上記ガイド部材５１〜５４の長手方向は、支持軸５を回動することによって、図４（ａ）に示すように、水平面に対して所定の角度を有する状態に調整されている。このときの角度は、１５°〜３０°を目安とするが、被混合物に応じて適宜変更され得るものである。
【００２３】
このように、回転ドラム２の内部におけるガイド部材５１〜５４が、それぞれ構成および調整されているので、装置Ａの始動前において、被混合物Ｂを開口部４（図１）から回転ドラム２に投入することにより、図４（ａ）に示すように、投入された被混合物Ｂは、各ガイド部材５１〜５４の中間を通過して回転ドラム２の底部に蓄積されることとなる。また、薄肉板状のガイド部材５１〜５４の平面が、上記縦断面に垂直方向に向けられているため、当該平面は、回転ドラム２の回転方向に抵抗となることがなく、この回転に沿って被混合物Ｂがガイド部材５１〜５４を通過する場合であっても、ガイド部材５１〜５４の平面部が被混合部Ｂに対して物理的な外力を作用することはないのである。
【００２４】
また、回転ドラム２の壁面には、軸線方向に長尺な断面突起状のリブが適宜間隔で設けられており、回転ドラム２の始動により、その回転に伴って被混合物全体が回転することとなる。これにより、当初水平な状態であった被混合物Ｂの表面は、ガイド部材５１〜５４による抵抗を受けることなく回転し、図４（ｂ）に示すように、斜状を形成する状態になるのである。
【００２５】
そして、さらに回転ドラム２が回転することにより、図４（ｃ）に示すように、被混合物Ｂの表面がさらに傾斜することとなるが、被混合物Ｂは、その傾斜に耐えることができず、表面から徐々に崩れて、当該傾斜の下方に滑り落ちることとなる。このときの落下方向は傾斜角度に近似する方向であり、回転ドラム２の周方向となり、このときガイド部材５１〜５４の表面が被混合物Ｂの方向を規制することとなるのである。すなわち、ガイド部材５１〜５４の長手方向が、回転ドラム２の周方向に対して所定の角度を有していることから、当該ガイド部材５１〜５２の平面は、回転方向以外の方向への被混合物Ｂの移動については抵抗となり、被混合物Ｂの規制板として機能するのである。すなわち、被混合物Ｂの移動方向を規制し、好適な混合を可能にしているのである。なお、被混合物Ｂの落下は、ガイド部材５１〜５４の作用によるものではなく、傾斜角度に耐えることができずに自然落下するものであり、ガイド部材５１〜５４の傾斜角度は、上記被混合物Ｂが自然落下することを予想して、予め調整されているのである。
【００２６】
ここで、ガイド部材５１〜５４の実施形態について説明すれば、例えば、図５および図６に示すように、支持軸５から上昇側壁面（回転ドラムの回転によって上昇する側の壁面）２１に向かってハ字状の第１のガイド部材５１，５２と、支持軸５から下降側壁面（回転ドラムの回転によって下降する側の壁面）２２に向かってハ字状の第２のガイド部材５３，５４とで構成することができる。
【００２７】
この実施形態によれば、第１のガイド部材５１，５２は、支持軸５の両端付近に設けられ、それぞれの先端５１ａ，５２ａの近傍は、支持軸５に固定されているものの、他端５１ｂ，５２ｂは、回転ドラム２の壁面の近傍に位置するものである。さらに、この他端５１ｂ，５２ｂは、回転ドラム２の両端側壁付近に位置している。なお、第１のガイド部材５１，５２の間隔は、支持軸５から回転ドラム２に向かって徐々に広くなっている。
【００２８】
一方、第２のガイド部材５３，５４は、上記第１のガイド部材５１，５２の内側すなわち支持軸５の中央付近において当該支持軸５に先端５３ａ，５４ａが固定されている。また、他端５３ｂ，５４ｂは、回転ドラム２の壁面の近傍に位置するように配置されているが、この他端５３ｂ，５４ｂは、回転ドラム２の両端側壁から適宜な距離を有する状態で配置されている。そして、この第２のガイド部材５３，５４の間隔についても、上記第１のガイド部材５１，５２と同様に、その間隔は、支持軸５から回転ドラム２に向かって徐々に広くなっている。
【００２９】
上記のような構成にすれば、被混合物Ｂの表面が傾斜するとき、この傾斜面に沿って滑り落ちる際に、被混合物Ｂを混合し得ることとなるのである。すなわち、被混合物Ｂは傾斜面を滑り落ちる場合、図５において示したように、支持軸５から上昇側壁面２１に至る範囲に存在する被混合物Ｂの表面Ｃ（斜線部分）が、下降側壁面２２に至る範囲に存在する被混合物Ｂの表面Ｄよりも上方に位置し、この上方の被混合物Ｂが傾斜面、すなわち回転ドラム２の周方向に沿って滑り落ちるのである。このとき、まず、第１のガイド部材５１，５２が、回転ドラム２の壁面付近の被混合物Ｂの落下方向を規制し、第２のガイド部材５３，５４が、支持軸５の近傍における被混合部材Ｂの落下方向を規制するのである。
【００３０】
従って、このような自然落下の前の状態において、回転ドラム２の両端付近に位置していたものの一部は、落下後には中央付近に位置することとなり、逆に中央付近に位置していたものの一部は、回転ドラム２の両端方向へ案内されることとなる。これと同時に、回転ドラム２は、常に回転を継続していることから、上記のような自然落下が継続的に発生し、落下する被混合部材Ｂの全てがガイド部材５１〜５４によって規制されるものではなく、規制されなかった被混合物Ｂは、ガイド部材５１〜５４の上端縁を乗り越えて落下することとなる。つまり、先行して落下した被混合物Ｂがガイド部材５１〜５４に留まっている状態で、引き続き被混合物Ｂが落下すると、ガイド部材５１〜５４の高さを越えて被混合物Ｂが移動することとなるのである。
【００３１】
なお、被混合物Ｂの落下については、支持軸５の近傍および回転ドラム２の壁面近傍のいずれのものも同時に滑り落ちるものと考えられ、支持軸５の近傍に位置していた被混合物Ｂが回転ドラム２の下降側壁面２２の近傍に移動すると同時に、回転ドラム２の上昇側壁面２１の近傍に位置していた被混合物Ｂが支持軸５の近傍に移動するものである。
【００３２】
このように混合することにより、回転ドラム２の両端付近と中央付近との相互間を混合し、また、回転ドラム２の壁面の近傍と支持軸５の近傍との相互間を混合することができるから、回転ドラム２に投入された被混合物Ｂを万遍なく混合し得るものである。
【００３３】
なお、上記のような混合を確実にするため、回転ドラム２に投入する被混合物Ｂの量は調整されるものである。すなわち、投入量が極端に微小である場合は、回転ドラム２の内部で被混合物Ｂが滑り落ちる際に、被混合物Ｂがガイド部材５１〜５４に到達せず、また、これとは逆に、極端に多量である場合は、被混合物Ｂによってガイド部材５１〜５４が埋没することとなり、いずれの場合もガイド部材５１〜５４による効果を得ることができない。従って、投入に最適な量は、回転ドラム２の全容積に対して５０％以上の投入量が必要となり、また、回転ドラム２の中央における縦断面の面積にガイド部材５１の短辺の長さを乗じて得た量を、回転ドラム２の全容量の５０％に加算した程度までの投入量に抑えることにより、被混合物Ｂが滑り落ちる際にガイド部材５１〜５４による混合の効果を得ることができる。
【００３４】
本実施形態は以上のとおりであるが、本発明の趣旨を逸脱しない範囲において種々の態様をとることができる。例えば、上記実施形態においては、ガイド部材５１〜５４は、支持軸５に一体的に設けられる構成であるため、製造時またはメンテナンス時には、回転ドラム２の開口部４が使用されることとなるが、ガイド部材５１〜５４を交換する必要がある場合等、支持軸５を固定した状態においてガイド部材５１〜５４を取り付けまたは取り外すことを可能にするためには、図７に示すように、支持軸２に対してガイド部材５１〜５４をボルト等により着脱可能に設ける構成とすることができる。
【００３５】
また、ガイド部材５１〜５４は、いずれも長尺な長方形状の板状部材で構成し、その平面が縦断面に対して垂直方向に調整したが、これは、回転ドラム２の回転によって被混合物Ｂが移動する際、当該被混合物に対して外力として作用することを避けた構成としたためである。しかしながら、被混合物の種類等に応じて多少の外力を与えることが好ましいと判断できる場合には、当該ガイド部材５１〜５４の平面の方向を変化させることも可能である。また、ガイド部材５１〜５４による被混合物Ｂの方向抑制を効果的にすべく、ガイド部材５１〜５４の高さ方向の長さ（長方形状の短辺の長さ）を比較的大きくしてなる構成とすることも可能である。この場合、図８（ａ）に示すように、第１のガイド部材５１，５２は、被混合物Ｂの自然落下方法を規制するために全体的に大きな表面を有する構成とし、第２のガイド部材５３，５４は、落下する被混合物Ｂが相互に混合しやすくするため、支持軸５の近傍の高さを他の部分に比較して低くすることが好ましい。
【００３６】
そして、上記のような高さ方向の長さを大きくしてなるガイド部材５１〜５４を使用する場合は、図８（ｂ）に示すように、上記ガイド部材５１〜５４を支持軸５から下向きに設置する態様をとることも可能である。この場合、ガイド部材５１〜５４は下向きに突出するから、被混合物Ｂの投入量を５０％未満とした場合にも、被混合物Ｂが滑り落ちる際にはガイド部材５１〜５４によって規制されることとなり、混合可能な投入量の範囲を拡大させることが可能となる。
【００３７】
さらに、第２のガイド部材５３，５４は、上記実施形態に示すように、ハ字状に配置する場合のほか、図９（ａ）に示すように、両ガイド部材５３，５４の先端５３ａ，５４ａに間隙を設けない構成とすることも可能である。この場合には、支持軸５の近傍に位置する被混合物Ｂは、当該ガイド部材５３，５４を越えて落下するもののみを両ガイド部材５３，５４の中間部分に案内し、越えない被混合物Ｂは、支持軸５の両端方向へ移動させることができるものである。また、図９（ｂ）に示すように、各ガイド部材５１〜５４を湾曲してなる構成とすることも可能である。この場合、ガイド部材５１〜５４により規制される被混合物Ｂは、湾曲面に沿った状態で移動することから、被混合物の種類によっては円滑な移動を可能にするものである。なお、当該ガイド部材５１〜５４の設置の状態としては、それぞれの両端を結ぶ直線の方向が、直線状のガイド部材における長手方向として考慮すればよいものである。
【図面の簡単な説明】
【００３８】
【図１】本発明の実施形態の概略を示す斜視図である。
【図２】ＩＩ−ＩＩ断面図である。
【図３】ガイド部材の斜視図である。
【図４】回転ドラムとガイド部材との関係を示す説明図である。
【図５】Ｖ−Ｖ断面図である。
【図６】ガイド部材の詳細を示す説明図であり、（ａ）は平面図、（ｂ）は側面図、（ｃ）は正面図である。
【図７】支持軸とガイド部材との結合状態を示す説明図である。
【図８】他の実施形態を示す説明図である。
【図９】他の実施形態を示す説明図である。
【符号の説明】
【００３９】
１  基台
２  回転ドラム
３  シュータ
４  開口部
５  支持軸
６  従動ギア
７  駆動ギア
１１  操作部
１２  操作パネル
２１  回転ドラムの上昇側壁面
２２  回転ドラムの上昇側壁面
５１，５２  第１のガイド部材
５３，５４  第２のガイド部材
【図１】
2005262156.tif 000003
【図２】
2005262156.tif 000004
【図３】
2005262156.tif 000005
【図４】
2005262156.tif 000006
【図５】
2005262156.tif 000007
【図６】
2005262156.tif 000008
【図７】
2005262156.tif 000009
【図８】
2005262156.tif 000010
【図９】
2005262156.tif 000011